(57)【要約】      （修正有）【課題】受信装置に、様々な仕様の送信装置から多重伝送される制御信号や映像信号に対応した適切な処理を行わせる。【解決手段】多重伝送用受信装置２０は、多重伝送される複数種の制御信号に関する仕様が互いに異なる複数の送信装置（接続送信装置）１０との接続が可能である。受信装置２０は、複数種の制御信号のそれぞれに応じた処理として、上記仕様に応じて異なる処理をそれぞれ行うプロジェクタＭＰＵ２６と、接続送信装置から受信した多重伝送信号から復号化された複数種の制御信号を複数の処理手段のうち対応する処理手段に入力させるように信号経路を切り替える切替え手段２５と、接続送信装置を識別するための第１の情報を用いて接続送信装置の仕様を示す第２の情報を取得し、該第２の情報を用いて切替え手段による信号経路の切り替えの制御および各処理手段での処理の設定を行う制御手段２４とを有する。【選択図】図１
2015228562.tif 000002
【特許請求の範囲】
【請求項１】
映像信号と複数種の制御信号とが多重化された伝送信号を送信する送信装置に接続され、該送信装置から前記伝送信号を受信する多重伝送用受信装置であって、
前記送信装置として、前記複数種の制御信号のうち少なくとも１つの制御信号に関する仕様が互いに異なる複数の送信装置との接続が可能であり、
前記複数種の制御信号のそれぞれに応じた処理として、前記仕様に応じて異なる処理をそれぞれ行う複数の処理手段と、
前記複数の送信装置のうち該受信装置に接続された接続送信装置から受信した前記伝送信号から前記映像信号と前記複数種の制御信号とを複合化する復号化手段と、
復号化された前記複数種の制御信号を前記複数の処理手段のうち対応する処理手段に入力させるように信号経路を切り替える切替え手段と、
前記接続送信装置を識別するための第１の情報を取得する情報取得手段と、
前記第１の情報を用いて前記接続送信装置の前記仕様を示す第２の情報を取得し、該第２の情報に応じて、前記切替え手段による前記信号経路の切り替えの制御および前記各処理手段での前記処理の設定のうち少なくとも一方を行う制御手段とを有することを特徴とする受信装置。
【請求項２】
前記情報取得手段は、前記接続送信装置に保存されている前記第１の情報を該接続送信装置から取得することを特徴とする請求項１に記載の受信装置。
【請求項３】
前記制御手段は、前記複数の送信装置のそれぞれに対応する前記第２の情報を保存しており、前記情報取得手段により取得された前記第１の情報を用いて前記接続送信装置に対応する前記第２の情報を選択して取得することを特徴とする請求項１または２に記載の受信装置。
【請求項４】
前記制御手段は、前記複数の送信装置のそれぞれに対応する前記第２の情報を外部から取り込んで、保存している前記第２の情報を更新することを特徴とする請求項３に記載の受信装置。
【請求項５】
前記切替え手段は、前記第２の情報から前記接続送信装置における前記各制御信号の割り当てチャンネルを判定し、該割り当てチャンネルに応じて前記信号経路の切り替えの制御を行うことを特徴とする請求項１から４のいずれか一項に記載の受信装置。
【請求項６】
前記複数の制御信号は、コマンド信号とリモートコントロール信号とを含み、
前記仕様は、前記コマンド信号に関する仕様および前記リモートコントロール信号に関する仕様を含むことを特徴とする請求項１から５のいずれか一項に記載の受信装置。  
【請求項７】
前記映像信号に対する処理を行う映像処理手段を有し、
前記第２の情報は、前記映像信号に関する仕様を示す情報を含んでおり、
前記制御手段は、該映像信号に関する仕様を示す情報に応じて前記映像処理手段での処理の設定を行うことを特徴とする請求項１から６のいずれか一項に記載の受信装置。
【請求項８】
前記制御手段は、ユーザによる前記各処理の設定を行わせるためのメニューを、前記第２の情報に応じて表示することを特徴とする請求項１から７のいずれか一項に記載の受信装置。
【請求項９】
請求項１から８のいずれか一項に記載の受信装置と、
前記映像信号に対応する映像を表示する表示手段とを有することを特徴とする表示装置。
【請求項１０】
映像信号と複数種の制御信号とが多重化された伝送信号を送信する送信装置に接続され、該送信装置から前記伝送信号を受信する多重伝送用受信装置のコンピュータを動作させるコンピュータプログラムであって、
前記受信装置は、前記送信装置として、前記複数種の制御信号のうち少なくとも１つの制御信号に関する仕様が互いに異なる複数の送信装置との接続が可能であり、
前記コンピュータは、前記複数種の制御信号のそれぞれに応じた処理として、前記仕様に応じて異なる処理をそれぞれ行う複数の処理手段を有しており、
前記コンピュータプログラムは、前記コンピュータに、
前記複数の送信装置のうち該受信装置に接続された接続送信装置から受信した前記伝送信号から前記映像信号と前記複数種の制御信号とを複合化させ、
復号化された前記複数種の制御信号を前記複数の処理手段のうち対応する処理手段に入力させるように信号経路を切り替えさせ、
前記接続送信装置を識別するための第１の情報を取得させ、
前記第１の情報を用いて前記接続送信装置の前記仕様を示す第２の情報を取得させ、
該第２の情報に応じて、前記信号経路の切り替えの制御および前記各処理手段での前記処理の設定のうち少なくとも一方を行わせることを特徴とする多重伝送用受信制御プログラム。
【発明の詳細な説明】
【技術分野】
【０００１】
本発明は、映像信号と制御信号とが多重化された伝送信号を受信する多重伝送用受信装置およびこれを備えた表示装置に関する。
【背景技術】
【０００２】
フルハイビジョン映像／音声、ＬＡＮ、シリアル制御信号および電源等を多重化して単一のイーサネット（登録商標）ケーブルで伝送する多重伝送用の接続規格であるＨＤＢａｓｅＴを採用した装置が実用化されている。ＨＤＢａｓｅＴは、映像／音声の伝送については基本機能として含むが、ＬＡＮやシリアル制御信号（ＵＡＲＴ〈コマンド〉信号やＲＣ〈リモコン〉信号）および電源の伝送についてはオプション扱いである。また、シリアル制御信号は全部で６チャンネル用意されているが、どのチャンネルにどの制御信号を割り当てるか及びどの通信プロトコルの制御信号を伝送するか等の仕様に関しては、メーカーごとに異なる。このため、仕様が互いに異なるＨＤＢａｓｅＴ装置同士を接続した場合に、その接続互換性について不具合が発生する可能性が高い。
【０００３】
特許文献１には、ＨＤＢａｓｅＴにおいて、送信装置と受信装置間で基本機能対応情報（ＬＡＮに対する対応可否やＵＡＲＴ、ＲＣ等の制御信号の対応可否）に関してネゴシエーションを行う方法が開示されている。
【先行技術文献】
【特許文献】
【０００４】
【特許文献１】米国特許公開２００９／００７４０４０Ａ１公報
【発明の概要】
【発明が解決しようとする課題】
【０００５】
しかしながら、特許文献１にて開示された方法では、基本機能対応情報しかネゴシエーションされないため、
１．ＵＡＲＴ信号やＲＣ信号等の制御信号がどの制御チャンネルを使用しているか。
２．ＵＡＲＴ信号の通信プロトコルは何か。
３．ＲＣ信号は有線リモコン信号か赤外線リモコン信号か。
４．ＲＣ信号はキャリア信号を含んでいるか否か。
５．映像信号のインターフェース（ＤＶＩ、アナログＶＧＡ、コンポジット）は何か。
６．音声信号の種類（ライン入力信号、マイク入力信号）は何か、
等の詳細な情報を得ることができない。このため、仕様が互いに異なる送信装置と受信装置を接続した場合に、受信装置において、送信装置からの様々な制御信号に対応できなかったり、送信装置に設けられた様々なインターフェースに対応した適切な画像音声処理パラメータを準備できなかったりする。
【０００６】
本発明は、様々な仕様の送信装置から多重伝送される制御信号や映像信号に対応した適切な処理を行うことができるようにした受信装置およびこれを備えた表示装置を提供する。
【課題を解決するための手段】
【０００７】
本発明の一側面としての多重伝送用受信装置は、映像信号と複数種の制御信号とが多重化された伝送信号を送信可能な送信装置に接続され、該送信装置から前記伝送信号を受信する。該受信装置は、送信装置として、複数種の制御信号のうち少なくとも１つの制御信号に関する仕様が互いに異なる複数の送信装置との接続が可能である。該受信装置は、複数種の制御信号のそれぞれに応じた処理として、上記仕様に応じて異なる処理をそれぞれ行う複数の処理手段と、数の送信装置のうち該受信装置に接続された接続送信装置から受信した伝送信号から映像信号と複数種の制御信号とを複合化する復号化手段と、復号化された複数種の制御信号を複数の処理手段のうち対応する処理手段に入力させるように信号経路を切り替える切替え手段と、接続送信装置を識別するための第１の情報を取得する情報取得手段と、第１の情報を用いて接続送信装置の仕様を示す第２の情報を取得し、該第２の情報に応じて、切替え手段による信号経路の切り替えの制御および各処理手段での処理の設定を行う制御手段とを有することを特徴とする。  
【０００８】
上記受信装置と、映像信号に対応する映像を表示する表示手段とを有する表示装置も、本発明の他の一側面を構成する。
【０００９】
また、本発明の他の一側面としての多重伝送用受信制御プログラムは、映像信号と複数種の制御信号とが多重化された伝送信号を送信可能な送信装置に接続され、該送信装置から前記伝送信号を受信する多重伝送用受信装置のコンピュータを動作させるコンピュータプログラムである。受信装置は、送信装置として、複数種の制御信号のうち少なくとも１つの制御信号に関する仕様が互いに異なる複数の送信装置との接続が可能であり、コンピュータは、複数種の制御信号のそれぞれに応じた処理として、上記仕様に応じて異なる処理をそれぞれ行う複数の処理手段を有する。受信制御プログラムは、コンピュータに、複数の送信装置のうち該受信装置に接続された接続送信装置から受信した伝送信号から映像信号と複数種の制御信号とを複合化させ、復号化された複数種の制御信号を複数の処理手段のうち対応する処理手段に入力させるように信号経路を切り替えさせ、接続送信装置を識別するための第１の情報を取得させ、第１の情報を用いて接続送信装置の仕様を示す第２の情報を取得させ、該第２の情報に応じて、信号経路の切り替えの制御および各処理手段での処理の設定を行わせることを特徴とする。
【発明の効果】
【００１０】
本発明によれば、様々な仕様の送信装置から多重伝送される制御信号や映像信号に対応した適切な処理を行える受信装置およびこれを備えた表示装置を実現することができる。
【図面の簡単な説明】
【００１１】
【図１】本発明の実施例１である多重伝送用受信装置を含むプロジェクタと多重伝送用送信装置の構成を示すブロック図。
【図２】実施例１の受信装置および送信装置の一部を具体化したブロック図。
【図３】実施例１におけるＭＰＵの内部構成を示すブロック図。
【図４】実施例１における処理手順を示すフローチャート。
【図５】実施例１におけるＩＤ−仕様テーブルの例を示す図。
【図６】本発明の実施例２である多重伝送用受信装置を含むプロジェクタと多重伝送用送信装置の構成を示すブロック図。
【図７】実施例２におけるＭＰＵの内部構成を示すブロック図。
【図８】実施例２における処理手順を示すフローチャート。
【図９】実施例２における更新されたＩＤ−仕様テーブルの例を示す図。
【発明を実施するための形態】
【００１２】
以下、本発明の実施例について図面を参照して説明する。
【実施例１】
【００１３】
図１には、本発明の実施例１である多重伝送用受信装置を含む表示装置としての液晶プロジェクタの基本構成を示している。また、図１には、プロジェクタに接続される多重伝送用送信装置の基本構成も合わせて示している。
【００１４】
図１において、１０は多重伝送用送信装置としてのＨＤＢａｓｅＴ送信装置であり、２０は多重伝送用受信装置としてのＨＤＢａｓｅＴ受信装置を内蔵したプロジェクタである。１７はイーサネットケーブルに代表されるＨＤＢａｓｅＴ用ケーブルであり、送信装置１０とプロジェクタ（つまりは受信装置）を接続する単一の伝送ケーブルである。送信装置１０において、１１はＨＤＢａｓｅＴ送信ＩＦデバイスである。また、プロジェクタにおいて、２１はＨＤＢａｓｅＴ受信ＩＦデバイスである。
【００１５】
送信装置１０において、外部から映像入力コネクタ（Ｖｉｄｅｏ−Ｉｎ）１４に入力された映像信号（音声信号を含む）Ｓｇ１は、送信ＩＦデバイス１１に入力される。また、２つの制御コネクタ（Ｃｏｎｔｒｏｌ１，Ｃｏｎｔｒｏｌ２）１５，１６に入力された複数種（ここでは２種）の制御信号Ｓｇ２，Ｓｇ３は、必要に応じてコマンド変換部１３で所定フォーマットに変換されて送信ＩＦデバイス１１に入力される。送信ＩＦデバイス１１では、入力された映像信号Ｓｇ１および制御信号Ｓｇ２，Ｓｇ３をＨＤＢａｓｅＴ技術に沿った方式で多重化してＨＤＢａｓｅＴ信号（伝送信号）Ｓｇ４に変換する。そして、ＨＤＢａｓｅＴ信号Ｓｇ４を、ＨＤＢａｓｅＴ用ケーブル１７を通じてプロジェクタ２０に送信する。ＨＤＢａｓｅＴ規格では、制御信号の送信チャンネルは６チャンネル用意されており、どのチャンネルを使用するかに関しては、基本的に送信装置のメーカー（以下、ベンダーという）に任されている。
【００１６】
ＨＤＢａｓｅＴ信号Ｓｇ４を受信した受信ＩＦデバイス２１は、ＨＤＢａｓｅＴ技術に沿った方式で該ＨＤＢａｓｅＴ信号Ｓｇ４から映像信号Ｓｇ５および制御信号Ｓｇ６，Ｓｇ７を複合化する。プロジェクタＭＰＵ２６は、実際に使用された送信チャンネルに応じて、切替え手段としてのＭＵＸ２５の切替え制御を行い、制御信号Ｓｇ６，Ｓｇ７を取り出す。
【００１７】
映像信号Ｓｇ５は、映像信号処理部（映像処理手段）２３にて各種信号処理を受けてパネル表示用映像信号に変換され、該パネル表示用映像信号はパネル駆動回路２４に出力される。パネル駆動回路２４は、パネル表示用映像信号に対応する映像を液晶パネル２７に表示する。液晶パネル２７は、不図示の光源からの光を変調して画像光を生成する。画像光は、投射光学系２８を通してスクリーン等の被投射面に投射される。これにより、映像信号Ｓｇ５（Ｓｇ１）に対応する映像が被投射面に投射される。パネル駆動回路２４、液晶パネル２７および投射光学系２８により表示手段が構成される。
【００１８】
一方、制御信号Ｓｇ６，Ｓｇ７は制御手段および処理手段としてのプロジェクタＭＰＵ２６に入力される。プロジェクタＭＰＵ２６は、制御信号Ｓｇ６，Ｓｇ７の内容を解読し、解読結果に対応したコマンド処理を実行する。
【００１９】
また、送信ＩＦデバイス１１および受信ＩＦデバイス２０はそれぞれ、送信装置およびプロジェクタ（受信装置）２０としてのメーカー（ベンダー）名や機種を示す識別情報を示すデータ列であるＩＤ情報１２，２２を保有している。プロジェクタＭＰＵ２６は、送信装置１０のＩＤ情報１２を、ＨＤＢａｓｅＴケーブル１７を通じて取得して保持（記憶）することができる。
【００２０】
図２には、図１に示した各信号および装置構成の一部をより具体化して示している。映像入力コネクタ１４には、図１における映像信号としてのＨＤＭＩ（登録商標）信号（または他のデジタル映像信号）が入力される。第１制御コネクタ１５には、図１における制御信号Ｓｇ２としてのＲＳ２３２Ｃ信号が入力される。コマンド変換部１３は、ＲＳ２３２Ｃ信号のコマンドを変換することなく、そのままＵＡＲＴ（Universal Asynchronous Receiver/Transceiver）信号であるコマンド信号として送信ＩＦデバイス１１に転送する。また、第２制御コネクタ１６には、図１における制御信号Ｓｇ３としての有線リモコン信号が入力される。であり、有線リモコン信号は、そのままＲＣ信号（リモートコントロール信号）として送信ＩＦデバイス１１に入力される。
【００２１】
図２に示す送信装置１０は、６つの制御信号用送信チャンネルのうち、ＵＡＲＴ信号をチャンネル０に、リモコン信号をチャンネル３に割り当てる仕様を有する。
【００２２】
また、送信装置１０およびプロジェクタ２０はそれぞれ、ＩＤ情報１２，２２として、
Ｖｅｎｄｏｒ−ＩＤ
Ｐｒｏｄｕｃｔ−ＩＤ
Ｆｅａｔｕｒｅ−Ｌｉｓｔ
の３つを少なくとも保有している。Ｖｅｎｄｏｒ−ＩＤはベンダー固有の番号であり、Ｐｒｏｄｕｃｔ−ＩＤはベンダー内における製品固有の番号である。また、Ｆｅａｔｕｒｅ−Ｌｉｓｔは、イーサネットに対する対応可否やＵＡＲＴその他の制御信号に対する対応可否等、装置（１０，２０）が有する機能を記述した情報である。
【００２３】
図３には、プロジェクタＭＰＵ２６の内部構成を示している。３０は情報取得手段としてのＩＤ取得部であり、送信装置１０からＩＤ情報（第１の情報）１２を取得する。３１はＵＡＲＴ処理部であり、送信装置１０からのＵＡＲＴ信号に応じたＵＡＲＴ処理を行う。３２はＲＣ処理部であり、送信装置１０からのＲＣ信号に応じたＲＣ処理を行う。３４はプロジェクタ２０に現に接続されている送信装置（接続送信装置）１０の映像信号および制御信号に関する仕様に応じた処理をＵＡＲＴ処理部３１およびＲＣ処理部３２に行わせる送信装置対応制御部（制御手段）である。ＵＡＲＴ処理部３１およびＲＣ処理部３２は、複数の制御信号のそれぞれに応じた処理として、送信装置１０のそれら制御信号に関する仕様に応じてそれぞれ異なる処理を行う複数の処理手段に相当する。
【００２４】
３３は前述したＭＵＸ２５の切替え制御を行うＭＵＸ切替え制御部である。ＭＵＸ２５は、復号化されたＵＡＲＴ信号およびＲＣ信号をＵＡＲＴ処理部３１およびＲＣ処理部３２のうち対応する処理部に入力させるように信号経路（チャンネル）を切り替える。
【００２５】
３５は送信装置ＩＤ−仕様対応テーブルである。送信装置ＩＤ−仕様対応テーブル３５は、映像信号および制御信号に関する仕様が互いに異なる複数の送信装置の映像信号および制御信号に関する仕様を示す情報（第２の情報）を、各送信装置のＩＤ情報に対応付けて保持している。なお、ここにいう複数の送信装置は、多重化される映像信号と複数種の制御信号のうち少なくとも１つの制御信号の仕様が異なればよい。このことは後述する実施例２でも同じである。
【００２６】
送信装置１０の映像信号および制御信号に関する仕様には、例えば、
１．制御信号の割り当てチャンネル
２．映像信号の種別（ＨＤＭＩ、コンポジットまたはＶＧＡアナログ等）および音声信号の種別（ライン入力またはマイク入力）
３．リモコン信号の種別（有無、有線または赤外、キャリア信号の有無および周波数）
４．コマンド体系（スルーまたはベンダー固有コマンドへの変換）
が含まれる。
【００２７】
以下の説明において、プロジェクタ（受信装置）１０のベンダー（自社）が設定したコマンドを「自社コマンド」といい、これに対して、Ａ社等の他社が独自に設定したコマンドを、「Ａ社固有コマンド」等の「他社固有コマンド」という。
【００２８】
図５（ａ），（ｂ）には、送信装置ＩＤ−仕様対応テーブル３５の例を示す。図５（ａ）には、Ｖｅｎｄｏｒ−ＩＤおよびＰｒｏｄｕｃｔ−ＩＤに対して、ベンダーおよび機種名（Ｍｏｄｅｌ Ｎａｍｅ）を対応付けたテーブルを示す。図５（ｂ）には、機種名に対して、制御信号の割り当てチャンネル（Ｃｏｎｔｒｏｌ  ＣＨ）、映像／音声種別（Ｖｉｄｅｏ／Ａｕｄｉｏ）、リモコン信号の種別（ＲＣ）およびコマンド体系（Ｃｏｍｍａｎｄ）の情報を対応付けたテーブルを示す。このような送信装置ＩＤ−仕様対応テーブルは、様々な送信装置の仕様を調べて作成される。
【００２９】
例えば、送信装置１０のＩＤ情報１２が、
Ｖｅｎｄｏｒ−ＩＤ＝ａａａａ
Ｐｒｏｄｕｃｔ−ＩＤ＝ｎｎｍｍ
であるとき、図５（ａ）よりＭｏｄｅｌＮａｍｅ＝（Ａ１）となる。さらに、図５（ｂ）より、
［制御信号の割り当てチャンネル］
ＵＡＲＴ信号＝チャンネル０
リモコン信号＝チャンネル３
［映像／音声種別］
映像＝ＨＤＭＩのみ
音声＝ＨＤＭＩのみ
［リモコン信号種別］
有線リモコン
キャリア信号無（ベースバンド）
［コマンド体系］
コマンドスルー
となる。
【００３０】
また、例えば、送信装置１０のＩＤ情報１２が、
Ｖｅｎｄｏｒ−ＩＤ＝ａａａａ
Ｐｒｏｄｕｃｔ−ＩＤ＝ｆｆｈｈ
であるとき、図５（ａ）よりＭｏｄｅｌＮａｍｅ＝（Ａ２）となる。さらに、図５（ｂ）より、
［制御信号の割り当てチャンネル］
ＵＡＲＴ信号＝チャンネル０
リモコン信号＝無
［映像／音声種別］
映像＝ＨＤＭＩおよびＶＧＡ
音声＝ＨＤＭＩおよびＬｉｎｅ−ＩＮ
［リモコン信号種別］
リモコン無
［コマンド体系］
コマンドスルー
となる。
【００３１】
また、例えば、送信装置１０のＩＤ情報１２が、
Ｖｅｎｄｏｒ−ＩＤ＝ｃｃｃｃ
Ｐｒｏｄｕｃｔ−ＩＤ＝ｐｄｅｄ
であるとき、図５（ａ）よりＭｏｄｅｌＮａｍｅ＝（Ｃ１）となる。さらに、図５（ｂ）より、
［制御信号の割り当てチャンネル］
ＵＡＲＴ信号＝チャンネル１
リモコン信号＝チャンネル２
［映像／音声種別］
映像＝ＤＭＩ／Ｃｏｍｐｏｎｅｎｔ
音声＝なし
［リモコン信号種別］
有線リモコン
キャリア信号有（周波数３３ｋＨｚ）
［コマンド体系］
Ｃ社固有コマンド
となる。
【００３２】
以下の説明において、これら送信装置の映像信号および制御信号に関する仕様を、単に「送信装置の仕様」ともいう。このことは、後述する実施例２でも同じである。
【００３３】
次に、本実施例においてコンピュータとしてのプロジェクタＭＰＵ２６が、これを動作させるコンピュータプログラムとしての多重伝送用受信制御プログラムに従って実行する受信制御処理（受信制御方法）について、図４のフローチャートを用いて説明する。
【００３４】
ステップＳ１１では、プロジェクタＭＰＵ２６が起動し、受信ＩＦデバイス２１に電源を供給する。
【００３５】
次にステップＳ１２では、プロジェクタＭＰＵ２６は、送信装置１０との通信、すなわちＨＤＢａｓｅＴリンクが成立したか否かを確認する。リンクが成立していなければ、成立するまで定期的に確認を繰り返す。具体的には、一定時間間隔でポーリング（問い合わせ）を行ったり、受信ＩＦデバイス２１からの割り込み信号待ちを行ったりすることで定期的な確認を行う。
【００３６】
次にステップＳ１３では、プロジェクタＭＰＵ２６は、送信装置１０のＩＤ情報（第１の情報）１２をケーブル１７を通じたＨＤＢａｓｅＴ経由で取得する。具体的には、送信ＩＦデバイス１１および受信ＩＦデバイス２１にはそれぞれＩＤ情報を送信および受信するコマンドが用意されており、そのコマンドをプロジェクタＭＰＵ２６が発行することによりＩＤ情報１２の送受信を行う。
【００３７】
次にステップＳ１４では、プロジェクタＭＰＵ２６は、取得したＩＤ情報１２を用いて上述した送信装置１０の仕様を示す情報を取得する。具体的には、プロジェクタＭＰＵ２６は、送信装置ＩＤ−仕様対応テーブル３５（図５（ａ））から、取得したＩＤ情報（Ｖｅｎｄｏｒ−ＩＤ，Ｐｒｏｄｕｃｔ−ＩＤ）に対応するＭｏｄｅｌＮａｍｅを読み出す。さらに、プロジェクタＭＰＵ２６は、送信装置ＩＤ−仕様対応テーブル３５（図５（ｂ））からそのＭｏｄｅｌＮａｍｅに対応する仕様を読み出す。
【００３８】
次にステップＳ１５では、プロジェクタＭＰＵ２６は、ステップＳ１４で取得した「制御信号の割り当てチャンネル」の情報に応じてＭＵＸ２５の切り替えを制御する。具体的には、ＩＤ情報１２が、
Ｖｅｎｄｏｒ−ＩＤ＝ａａａａ
Ｐｒｏｄｕｃｔ−ＩＤ＝ｎｎｍｍ
であり、ＭｏｄｅｌＮａｍｅが（Ａ１）であるとき、ＣＨ０に対してＵＡＲＴ信号が、ＣＨ３に対してＲＣ信号が入力されるようにＭＵＸ２５を切り替える。
【００３９】
続いてステップＳ１６では、プロジェクタＭＰＵ２６は、ステップＳ１４で取得した「映像／音声種別」、「リモコン信号種別」および「コマンド体系」に応じて、各信号に対する処理の設定を行う。言い換えれば、映像信号処理部２３、ＵＡＲＴ処理部３１およびＲＣ処理部３２での処理方法の設定を行う。具体的には、以下のような設定を行う。
［映像信号処理］
入力ソースがデジタル信号であるので、アナログ用ノイズリダクションをＯｆｆに設定する。
［音声信号処理］
入力ソースがＨＤＭＩ音声であるので、リップシンクディレイ設定を行い、かつマイク音声処理（風切り音対策）はＯｆｆに設定する。
［リモコン信号処理］
キャリア信号を含まないので、フィルタ処理を行わないように設定する。また、入力ソースが有線リモコン１系統であるので、単一信号として扱う設定とする。
［コマンド処理］
送信装置はコマンドスルー（入力されたＲＳ２３２ＣのデータをそのままＨＤＢａｓｅＴに変換して出力する）仕様であるので、受信したコマンドに対して変換処理を行わない設定とする。
【００４０】
次にステップＳ１７では、プロジェクタＭＰＵ２６は、ＨＤＢａｓｅＴリンクが切断されたか否かを確認する。切断されていなければ、接続相手である送信装置１０は不変と判定して設定等はそのままとする。リンクが切断された場合には、接続相手である送信装置１０に変更があったと判定して、ステップＳ１２に戻り、再度送信装置１０からのＩＤ情報の取得からやり直す。
【００４１】
以上説明した本実施例によれば、プロジェクタ（受信装置）は、接続された送信装置の仕様を特定することができ、該仕様に適したプロジェクタ側の設定を行うので、メーカーが互いに異なる送信装置とプロジェクタとの接続において互換性を改善することができる。
【実施例２】
【００４２】
図６には、本発明の実施例２である受信装置を含む表示装置としての液晶プロジェクタ７０の構成を示している。また、図６には、プロジェクタに接続される送信装置５０の構成も合わせて示している。以下、本実施例について、実施例１との相違点を中心に説明する。
【００４３】
本実施例において、送信装置５０に入力される映像信号は、ＶＧＡ入力コネクタ５４から入力されるＶＧＡ映像信号やコンポジット入力コネクタ５５から入力されるコンポジット映像信号等のアナログ映像信号である。また、音声信号は、ステレオマイク入力コネクタ５６，５７から入力されるステレオマイク音声信号である。
【００４４】
送信装置５０に設けられたＴＭＤＳ変換部６１は、アナログ映像信号をデジタル映像信号に変換し、該デジタル映像信号をＨＤＢａｓｅＴ送信ＩＦデバイス５１に入力する。
【００４５】
また、制御信号１は、ＵＳＢコネクタ５８から入力されるＵＳＢ信号であり、コマンド変換部５３にてＵＡＲＴ信号に変換される。この際、コマンド変換部５３は、ＵＡＲＴ信号をＢ社固有のコマンド体型に対応するコマンドに所定の変換テーブルを用いて変換する。このため、ＨＤＢａｓｅＴケーブル１７上を伝送されるＵＡＲＴ信号コマンドは、Ｂ社固有のコマンドになっている。また、送信装置５０には、そのフロントとリアに赤外リモコン受光部５９，６０が設けられている。
【００４６】
送信装置５０は、制御信号のチャンネルとして、ＵＡＲＴ信号に対してはチャンネル３を、リモコン信号に対してはチャンネル４とチャンネル５を用いる仕様である。
【００４７】
また、プロジェクタＭＰＵは、その内部に保存さている送信装置ＩＤ−仕様対応テーブル７７に対し、インターネットのサイトを通して外部サーバー７８から取り込んだ情報による更新（書き換え）を可能とする機能を有する。これにより、新規ベンダーが製造した送信装置や既存ベンダーが新規に製造した送信装置の仕様の情報を取得および保存することができる。図示はしないが、情報更新のインターフェースとしては、有線ＬＡＮや無線ＬＡＮ等を用いることができる。
【００４８】
図７には、プロジェクタＭＰＵ７６の内部構成を示している。８０は情報取得手段としてのＩＤ取得部であり、送信装置５０からＩＤ情報（第１の情報）５２を取得する。８１はＵＡＲＴ処理部であり、送信装置５０からのＵＡＲＴ信号に応じたＵＡＲＴ処理を行う。８２はＲＣ処理部であり、送信装置５０からのＲＣ信号に応じたＲＣ処理を行う。８４はプロジェクタ７０に現に接続されている送信装置（接続送信装置）５０の映像信号および制御信号に関する仕様に応じた処理をＵＡＲＴ処理部８１およびＲＣ処理部８２に行わせる送信装置対応制御部（制御手段）である。実施例１と同様に、ＵＡＲＴ処理部８１およびＲＣ処理部８２は、複数の制御信号のそれぞれに応じた処理として、送信装置５０のそれら制御信号に関する仕様に応じてそれぞれ異なる処理を行う複数の処理手段に相当する。
【００４９】
８３は切替え手段としてのＭＵＸ７５の切替え制御を行うＭＵＸ切替え制御部である。ＭＵＸ７５は、実施例１と同様に、復号化されたＵＡＲＴ信号およびＲＣ信号をＵＡＲＴ処理部８１およびＲＣ処理部８２のうち対応する処理部に入力させるように信号経路（チャンネル）を切り替える。
【００５０】
７７は送信装置ＩＤ−仕様対応テーブルである。送信装置ＩＤ−仕様対応テーブル７７は、実施例１と同様に、映像信号および制御信号に関する仕様が互いに異なる複数の送信装置の映像信号および制御信号に関する仕様を示す情報（第２の情報）を、各送信装置のＩＤ情報に対応付けて保持している。
【００５１】
送信装置の仕様の具体的な内容は、実施例１にて説明した１〜４と同じである。また、送信装置ＩＤ−仕様対応テーブル７７の例は、実施例１にて図５（ａ），（ｂ）を用いて説明したものと同じである。
【００５２】
次に、本実施例においてコンピュータとしてのプロジェクタＭＰＵ７６が、これを動作させるコンピュータプログラムとしての多重伝送用受信制御プログラムに従って実行する受信制御処理（受信制御方法）について、図８のフローチャートを用いて説明する。
【００５３】
ステップＳ２１では、プロジェクタＭＰＵ７６が起動し、受信ＩＦデバイス７１に電源を供給する。
【００５４】
次にステップＳ２２では、プロジェクタＭＰＵ７６は、実施例１と同様に、送信装置１０との通信、すなわちＨＤＢａｓｅＴリンクが成立したか否かを確認する。リンクが成立していなければ、成立するまで定期的に確認を繰り返す。
【００５５】
次にステップＳ２３では、プロジェクタＭＰＵ７６は、実施例１と同様に、送信装置１０のＩＤ情報（第１の情報）５２をケーブルを通じたＨＤＢａｓｅＴ経由で取得する。
【００５６】
次にステップＳ２４では、プロジェクタＭＰＵ７６は、取得したＩＤ情報５２に対応するＭｏｄｅｌＮａｍｅが送信装置ＩＤ−仕様対応テーブル７７に存在するか否かを確認する。存在する場合はステップＳ２７に移行し、存在しない場合はステップＳ２５に移行する。例えば、ＩＤ情報５２がＶｅｎｄｏｒＩＤ＝ｂｂｂｂであり、送信装置ＩＤ−仕様対応テーブル７７が図５（ａ）に示したテーブル３５と同じである場合には、ＶｅｎｄｏｒＩＤ＝ｂｂｂｂがテーブル７７には存在しない。このため、プロジェクタＭＰＵ７６はステップＳ２５に移行する。
【００５７】
ステップＳ２５では、プロジェクタＭＰＵ７６は、インターネットのサイトを通じて外部サーバー７８にアクセスを試みる。アクセスできた場合はステップＳ２６に移行し、アクセスできない場合はステップＳ３１に移行する。
【００５８】
ステップＳ２６では，プロジェクタＭＰＵ７６は、外部サーバー７８から送信装置ＩＤ−仕様対応テーブルの最新の情報を取得する。そして、取得した最新の送信装置ＩＤ−仕様対応テーブルによって既存の送信装置ＩＤ−仕様対応テーブル７７を更新する。
【００５９】
図９（ａ），（ｂ）に、更新された送信装置ＩＤ−仕様対応テーブル７７’の例を示す。更新後のテーブル７７’には、図５（ａ），（ｂ）に示した更新前のテーブル７７に対して、以下のＭｏｄｅｌＮａｍｅ＝（Ｂ１）に関する情報が追加されている。
Ｖｅｎｄｏｒ−ＩＤ＝ｂｂｂｂ
Ｐｒｏｄｕｃｔ−ＩＤ＝ｐｄｅｄ
［制御信号の割り当てチャンネル］
ＵＡＲＴ信号＝チャンネル３
リモコン信号＝チャンネル４，５
［映像／音声入力種別］
映像＝ＶＧＡ／Ｃｏｍｐｏｎｅｎｔ
音声＝ＭＩＣ×２
［リモコン信号種別］
赤外リモコン（フロントおよびリア）
キャリア信号有（周波数３８ｋＨｚ）
［コマンド体系］
Ｂ社固有コマンド
ステップＳ２７では、プロジェクタＭＰＵ７６は、既存の送信装置ＩＤ−仕様対応テーブル７７から、取得した送信装置のＭｏｄｅｌＮａｍｅに対応する仕様の情報（第２の情報）を読み出す。
【００６０】
次にステップＳ２８では、プロジェクタＭＰＵ７６は、ステップＳ２７で取得した「制御信号の割り当てチャンネル」の情報に応じてＭＵＸ７５の切り替えを制御する。具体的には、ＩＤ情報５２が、
Ｖｅｎｄｏｒ−ＩＤ＝ｂｂｂｂ
Ｐｒｏｄｕｃｔ−ＩＤ＝ｐｑｐｑ
であり、ＭｏｄｅｌＮａｍｅが（Ｂ１）であるとき、ＣＨ３に対してＵＡＲＴ信号が、ＣＨ４，５に対してＲＣ信号が入力されるようにＭＵＸ７５を切り替える。
続いてステップＳ２９では、プロジェクタＭＰＵ７６は、ステップＳ２７で取得した「映像／音声種別」、「リモコン信号種別」および「コマンド体系」に応じて、各信号に対する処理の設定を行う。言い換えれば、映像信号処理部、ＵＡＲＴ処理部およびＲＣ処理部での処理方法の設定を行う。具体的には、以下のような設定を行う。
［映像信号処理］
入力ソースがアナログ信号（ＶＧＡ）であるので、アナログ用ノイズリダクションをＯｎに設定する。
［音声信号処理］
入力がマイク音声（ＭＩＣ）であるので、信号処理レベルをＭＩＣレベルに設定し、かつマイク音声処理（風切り音対策）をＯｎに設定する。
［リモコン信号処理］
キャリア信号周波数が３８ｋＨｚであるので、入力されたＲＣ１，ＲＣ２信号に対して３８ｋＨｚのＬＰＦ処理を行ってベースバンド信号を抽出する設定を行う。また、入力ソースが赤外線リモコンであり、フロントとリアの２系統であるので、２系統処理を行う設定を行う。
［コマンド処理］
送信装置５０ではＢ社固有コマンドへの変換が行われているので、プロジェクタ（受信装置）７０では受信したＢ社固有コマンドの解読および自社コマンドへの変換を行う設定とする。他社固有のコマンドについては予めプロジェクタＭＰＵ７６内にテーブルが準備されており、そのテーブルの情報を用いて自社コマンドへの変換を行う。
【００６１】
次にステップＳ３０では、プロジェクタＭＰＵ７６は、ＨＤＢａｓｅＴリンクが切断されたか否かを確認する。切断されていなければ、接続相手である送信装置５０は不変と判定してステップＳ３１に進む。リンクが切断された場合には、接続相手である送信装置５０に変更があったと判定して、ステップＳ２２に戻り、再度送信装置５０からのＩＤ情報の取得からやり直す。
【００６２】
ステップＳ３１では、プロジェクタＭＰＵ７６は、手動設定メニューをＧＵＩにより表示する。手動設定メニューを通じてユーザが設定可能な項目は、［制御信号の割り当てチャンネル］、［映像信号処理］、［音声信号処理］、［リモコン信号処理］および［コマンド処理］等である。この際、各項目で当初表示される設定内容は、ステップＳ２７で取得した仕様の情報に対応するもの（例えば、［映像信号処理］については「アナログ用ノイズリダクションＯｎ」、［コマンド処理］については「自社コマンドへの変換」）とする。
【００６３】
プロジェクタＭＰＵ７６は、各項目についてユーザによる選択および決定操作が行われるまで待機し、決定操作が行われると、各項目での選択結果に応じた設定を行う。この後、ステップＳ３０に進む。
【００６４】
以上説明した本実施例によれば、プロジェクタ（受信装置）は、接続された送信装置の仕様を特定することができ、該仕様に適したプロジェクタ側の設定を行うので、メーカーが互いに異なる送信装置とプロジェクタとの接続において互換性を改善することができる。しかも、本実施例では、外部から取得した送信装置ＩＤ−仕様対応テーブルによって既存のテーブルを更新する機能を有するので、新規な送信装置にも対応することができる。
【００６５】
なお、上記各実施例では、ＭＵＸでの信号経路の切り替え制御とＵＡＲＴ処理部およびＲＣ処理部での処理の設定の双方を行う場合について説明したが、これらのうち少なくとも一方を行うようにしてもよい。
【００６６】
また、上記各実施例ではプロジェクタに内蔵された受信装置について説明したが、受信装置はプロジェクタ以外の装置に内蔵されてもよいし、単独で存在する受信装置として構成されてもよい。
【００６７】
以上説明した各実施例は代表的な例にすぎず、本発明の実施に際しては、各実施例に対して種々の変形や変更が可能である。
【符号の説明】
【００６８】
１０，５０  ＨＤＢａｅｅＴ送信装置
２０，７０    プロジェクタ（ＨＤＢａｓｅＴ受信装置）
２５，７５  ＭＵＸ
２６，７６  プロジェクタＭＰＵ
１２，２２  ＩＤ情報
【図１】
2015228562.tif 000003
【図２】
2015228562.tif 000004
【図３】
2015228562.tif 000005
【図４】
2015228562.tif 000006
【図５】
2015228562.tif 000007
【図６】
2015228562.tif 000008
【図７】
2015228562.tif 000009
【図８】
2015228562.tif 000010
【図９】
2015228562.tif 000011